(57)【要約】【課題】画像データにＥｘｉｆ情報を容易に付加して記録可能とする。【解決手段】ＲＡＭ３５には、画像ファイルにおける格納すべき位置と該位置に格納される情報とが定義付けられたテンプレートが、複数の分類（例えば、場所用、撮影者用など）毎に記憶されている。制御部２０は、スルー画像表示状態において、テンプレートデータを全て読み出し、選択された分類（タイトル、場所用、撮影者用）用の文字情報をリスト表示する。いずれかの文字情報が選択されると、選択されたテンプレートに含まれている文字情報をスルー画像に重畳表示する。そして、記録指示が検出された場合には、画像の圧縮符号化を行うとともに、先に選択されたテンプレートで指定された位置に圧縮符号化された画像を格納し、ファイル化して保存する。【選択図】図１
2009021733.tif 000002
【特許請求の範囲】
【請求項１】
画像ファイルにおける格納すべき位置と該位置に格納される情報とが定義付けられたテンプレートデータを記憶する記憶手段と、
画像を取得する画像取得手段と、
この画像取得手段によって取得された画像を表示する第１の表示手段と、
前記テンプレートデータに記録すべき表示内容を入力する表示内容入力手段と、
この表示内容入力手段によって入力された表示内容を前記第１の表示手段と対応付けて表示する第２の表示手段と、
前記第１の表示手段によって表示された画像の記録を指示する記録指示手段と、
この記録指示手段によって前記画像の記録が指示されると、前記記憶手段に記憶されているテンプレートデータで定義付けられた位置に前記第１の表示手段によって表示されている画像、及び、前記第２の表示手段によって表示された表示内容を格納するよう制御して画像ファイル化する第１のファイル化手段と
を具備することを特徴とする画像ファイル生成装置。
【請求項２】
前記第１の表示手段によって表示された画像に対する前記表示内容入力手段によって入力される表示内容の位置を指定する位置指定手段を更に備え、
前記第１のファイル化手段は、この位置指定手段によって指定された位置を示す位置情報を、前記表示内容とともに、前記テンプレートデータで定義付けられた位置に格納することを特徴とする請求項１記載の画像ファイル生成装置。
【請求項３】
前記表示内容入力手段によって入力される表示内容のサイズを指定するサイズ指定手段を更に備え、
前記第１のファイル化手段は、このサイズ指定手段によって指定されたサイズを示すサイズ情報を、前記表示内容とともに、前記テンプレートデータで定義付けられた位置に格納することを特徴とする請求項２に記載の画像ファイル生成装置。
【請求項４】
前記表示内容入力手段によって入力される表示内容の表示色を指定する表示色指定手段を更に備え、
前記第１のファイル化手段は、この表示色指定手段によって指定された表示色を示す表示色情報を、前記表示内容とともに、前記テンプレートデータで定義付けられた位置に格納することを特徴とする請求項２または３に記載の画像ファイル生成装置。
【請求項５】
前記表示内容入力手段によって入力される表示内容の表示枠サイズを指定する表示枠サイズ指定手段を更に備え、
前記第１のファイル化手段は、この表示枠サイズ指定手段によって指定された表示枠サイズを示す表示枠サイズ情報を、前記表示内容とともに、前記テンプレートデータで定義付けられた位置に格納することを特徴とする請求項２乃至４のいずれかに記載の画像ファイル生成装置。
【請求項６】
前記画像取得手段によって取得された画像を、前記記憶手段に記憶されているテンプレートデータで定義付けられた位置に格納してファイル化する第２のファイル化手段を更に備え、
前記第１の表示手段は、前記第２のファイル化手段によってファイル化された画像を表示することを特徴とする請求項１乃至５のいずれかに記載の画像ファイル生成装置。
【請求項７】
複数の表示内容を記憶する表示内容記憶手段を更に備え、
前記表示内容入力手段は、前記表示内容記憶手段に記憶された表示内容から選択されたものを入力することを特徴とする請求項１乃至６のいずれかに記載の画像ファイル生成装置。
【請求項８】
撮像手段を更に備え、
前記画像入力手段は、前記撮像手段によって撮像された画像を入力することを特徴とする請求項１乃至７のいずれかに記載の画像ファイル生成装置。
【請求項９】
前記第１の表示手段と前記第２の表示手段は、１つの表示手段における表示領域を共用する表示手段であって、
前記表示手段は、前記表示内容入力手段によって入力された表示内容を、前記画像に重畳表示することを特徴とする請求項１乃至８のいずれかに記載の画像ファイル生成装置。
【請求項１０】
画像取得部、表示部、入力部、及び、画像ファイルにおける格納すべき位置と該位置に格納される情報とが定義付けられたテンプレートデータを記憶する記憶部を備えた電子機器が有するコンピュータを、
前記画像取得部にて画像を取得させる画像取得手段、
この画像取得手段によって取得された画像を前記表示部に表示させる第１の表示手段、
前記入力部により前記テンプレートデータに記録すべき表示内容が入力されると、この入力された表示内容を、前記第１の表示手段によって表示されている画像と対応付けて表示させる第２の表示手段、
前記表示部に表示されている画像の記録の指示を検出する指示検出手段、
この指示検出手段によって記録の指示が検出されると、前記テンプレートデータで定義付けられた位置に前記第１の表示手段によって表示されている画像、及び、前記第２の表示手段によって表示された表示内容を格納するよう制御して画像ファイル化するファイル化手段
として機能させることを特徴とする画像ファイル生成プログラム。
【発明の詳細な説明】
【技術分野】
【０００１】
本発明は、画像ファイル生成装置、及び、画像ファイル生成プログラムに関する。
【背景技術】
【０００２】
従来より、デジタルカメラ等の撮像装置で撮影された画像データは、記録される際、ＪＰＥＧ形式に圧縮符号化され、さらに、サムネイル画像データ、及び、撮影条件や、タイムスタンプ等の撮影時の情報のＥｘｉｆ情報が生成され、これらを圧縮符号化された画像データとともにファイル化される。
【０００３】
Ｅｘｉｆ情報ファイルは、パーソナルコンピュータで取り扱うことが可能となっており、例えば、デジタルカメラにて記録した画像ファイルについて、新たにコメントを作成して書き込むと、これがＥｘｉｆ情報として記録され、再保存することも可能になっている。また、このような画像ファイルの取り扱い、つまり、コメントを作成して書き込むことにより、Ｅｘｉｆ情報として記録されることについて、デジタルカメラ単体で行う技術も提案されている（例えば、特許文献１参照）。
【０００４】
上記従来技術（特許文献１）によれば、デジタルカメラで記録した画像データについて、感想や、メッセージ等の文字情報をキー入力部で入力、もしくはユーザが吹き込んだ音声情報を変換することにより得られた文字情報を、この画像データのＥｘｉｆ情報に付加することが開示されている。
【特許文献１】特開２００６−１０８９９９号公報
【発明の開示】
【発明が解決しようとする課題】
【０００５】
しかしながら、上記従来技術では、キー入力部で入力するにせよ、音声情報を変換するにせよ、最初から文字情報を作成することになり、ユーザにとって大変手間がかかる作業になることが想定される。すなわち、デジタルカメラに上記機能を設けたとしても、ユーザにとっては、簡単に入力することが困難であるという問題があった。
【０００６】
そこで本発明は、画像データに文字情報などの付加情報を容易に付加して記録することができる画像ファイル生成装置、及び、画像ファイル生成プログラムを提供することを目的とする。
【課題を解決するための手段】
【０００７】
上記目的達成のため、請求項１記載の発明は、画像ファイルにおける格納すべき位置と該位置に格納される情報とが定義付けられたテンプレートデータを記憶する記憶手段と、画像を取得する画像取得手段と、この画像取得手段によって取得された画像を表示する第１の表示手段と、前記テンプレートデータに記録すべき表示内容を入力する表示内容入力手段と、この表示内容入力手段によって入力された表示内容を前記第１の表示手段と対応付けて表示する第２の表示手段と、前記第１の表示手段によって表示された画像の記録を指示する記録指示手段と、この記録指示手段によって前記画像の記録が指示されると、前記記憶手段に記憶されているテンプレートデータで定義付けられた位置に前記第１の表示手段によって表示されている画像、及び、前記第２の表示手段によって表示された表示内容を格納するよう制御して画像ファイル化する第１のファイル化手段と、を具備することを特徴とする。
【０００８】
また、請求項２記載の発明は、上記請求項１記載の発明において、前記第１の表示手段によって表示された画像に対する前記表示内容入力手段によって入力される表示内容の位置を指定する位置指定手段を更に備え、前記第１のファイル化手段は、この位置指定手段によって指定された位置を示す位置情報を、前記表示内容とともに、前記テンプレートデータで定義付けられた位置に格納することを特徴とする。
【０００９】
また、請求項３記載の発明は、上記請求項２記載の発明において、前記表示内容入力手段によって入力される表示内容のサイズを指定するサイズ指定手段を更に備え、前記第１のファイル化手段は、このサイズ指定手段によって指定されたサイズを示すサイズ情報を、前記表示内容とともに、前記テンプレートデータで定義付けられた位置に格納することを特徴とする。
【００１０】
また、請求項４記載の発明は、上記請求項２または３記載の発明において、前記表示内容入力手段によって入力される表示内容の表示色を指定する表示色指定手段を更に備え、前記第１のファイル化手段は、この表示色指定手段によって指定された表示色を示す表示色情報を、前記表示内容とともに、前記テンプレートデータで定義付けられた位置に格納することを特徴とする。
【００１１】
また、請求項５記載の発明は、上記請求項２乃至４のいずれかに記載の発明において、前記表示内容入力手段によって入力される表示内容の表示枠サイズを指定する表示枠サイズ指定手段を更に備え、前記第１のファイル化手段は、この表示枠サイズ指定手段によって指定された表示枠サイズを示す表示枠サイズ情報を、前記表示内容とともに、前記テンプレートデータで定義付けられた位置に格納することを特徴とする。
【００１２】
また、請求項６記載の発明は、上記請求項１乃至５のいずれかに記載の発明において、前記画像取得手段によって取得された画像を、前記記憶手段に記憶されているテンプレートデータで定義付けられた位置に格納してファイル化する第２のファイル化手段を更に備え、前記第１の表示手段は、前記第２のファイル化手段によってファイル化された画像を表示することを特徴とする。
【００１３】
また、請求項７記載の発明は、上記請求項１乃至６のいずれかに記載の発明において、複数の表示内容を記憶する表示内容記憶手段を更に備え、前記表示内容入力手段は、前記表示内容記憶手段に記憶された表示内容から選択されたものを入力することを特徴とする。
【００１４】
また、請求項８記載の発明は、上記請求項１乃至７のいずれかに記載の発明において、撮像手段を更に備え、前記画像入力手段は、前記撮像手段によって撮像された画像を入力することを特徴とする。
【００１５】
また、請求項９記載の発明は、上記請求項１乃至８のいずれかに記載の発明において、前記第１の表示手段と前記第２の表示手段は、１つの表示手段における表示領域を共用する表示手段であって、前記表示手段は、前記表示内容入力手段によって入力された表示内容を、前記画像に重畳表示することを特徴とする。
【００１６】
また、上記目的達成のため、請求項１０記載の発明は、画像取得部、表示部、入力部、及び、画像ファイルにおける格納すべき位置と該位置に格納される情報とが定義付けられたテンプレートデータを記憶する記憶部を備えた電子機器が有するコンピュータを、前記画像取得部にて画像を取得させる画像取得手段、この画像取得手段によって取得された画像を前記表示部に表示させる第１の表示手段、前記入力部により前記テンプレートデータに記録すべき表示内容が入力されると、この入力された表示内容を、前記第１の表示手段によって表示されている画像と対応付けて表示させる第２の表示手段、前記表示部に表示されている画像の記録の指示を検出する指示検出手段、この指示検出手段によって記録の指示が検出されると、前記テンプレートデータで定義付けられた位置に前記第１の表示手段によって表示されている画像、及び、前記第２の表示手段によって表示された表示内容を格納するよう制御して画像ファイル化するファイル化手段として機能させることを特徴とする。
【発明の効果】
【００１７】
この発明によれば、画像ファイルにおける格納すべき位置と該位置に格納される情報とが定義付けられたテンプレートデータを記憶しておき、テンプレートデータに記録すべき表示内容を入力し、入力された表示内容を画像と対応付けて表示し、画像の記録が指示されると、テンプレートデータで定義付けられた位置に、表示されている画像、及び、表示内容を格納するよう制御して画像ファイル化するようにしたので、画像データと対応付けて表示する文字情報などを、画像データに容易に付加して記録することができるという利点が得られる。
【発明を実施するための最良の形態】
【００１８】
以下、本発明の実施の形態を、図面を参照して説明する。
【００１９】
Ａ．第１実施形態
Ａ−１．第１実施形態の構成
図１は、本発明の第１実施形態によるデジタルカメラの構成を示すブロック図である。図において、画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタンが操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行う。ＬＰＦ１３は、水晶ローパスフィルタであり、モアレの発生を防ぐために搭載されている。
【００２０】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行う。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２１】
次に、制御部（ＣＰＵ）２０は、後述するプログラムメモリ格納されるプログラムに従ってデジタルカメラ１（撮像装置）の全体を制御する。特に、本第１実施形態では、画像に対する文字情報の入力、文字情報の表示位置の設定、画像と文字情報とを１つのファイルとして取り扱うための画像ファイル（Ｅｘｉｆ）の生成などを制御する。
【００２２】
プレビューエンジン２２は、記録モード（撮影モード）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行う。Ｄ／Ａコンバータ２３は、プレビューエンジン２２により間引き処理されたデジタルデータを変換し、後段のドライバ２４に出力する。
【００２３】
ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。特に、本第１実施形態では、画像に対して付加する文字情報などを表示する。
【００２４】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタンや、記録／再生モード選択スライドスイッチ、メニューボタン、十字キー（中央押しで決定）などからなる。また、入力手段として、タッチパネル２７１を備えている。該タッチパネル２７１は、表示部２５の前面に設けられており、表示部２５の表示に連動させた各種入力を可能にする。
【００２５】
デジタル信号処理部２８は、アナログ信号処理部１５を介して入力されたデジタルデータに対して、ホワイトバランス処理や、色処理、階調処理、輸郭強調、ＲＧＢ形式からＹＵＶ形式への変換、ＹＵＶ形式からＪＰＥＧ形式への変換、親画像（オリジナル画像）から子画像（縮小画像）の生成などを行う。画像圧縮／伸張処理部２９は、デジタル信号処理部２８を介して入力されたデジタルデータをＪＰＥＧ方式に圧縮符号化したり、モーションＪＰＥＧ形式の動画ファイルを生成したり、モーションＪＰＥＧ形式の動画ファイルをＭＰＥＧ形式の動画ファイルに変換したり、再生モードにおいては、ＪＰＥＧ形式、モーションＪＰＥＧ形式、あるいはＭＰＥＧ形式の動画ファイルを伸張したりする。
【００２６】
プログラムメモリ３０は、制御部２０にロードされる各種プログラムや、ベストショット機能におけるＥＶ値、色補正情報などを格納する。画像メモリ３１は、イメージバッファ２６に一時的に保持された画像データや、各種ファイル形式に変換されたデジタルデータ、動画データなどを格納する。
【００２７】
カードＩ／Ｆ３２は、外部記録媒体３３とデジタルカメラ本体との間のデータ交換を制御する。外部記録媒体３３は、コンパクトフラッシュ（登録商標）、メモリースティック、ＳＤカード等からなる着脱可能な記録媒体であり、撮影された親画像（オリジナル画像）を格納する。外部接続用Ｉ／Ｆ３４は、ＵＳＢコネクター用スロットなどからなり、パーソナルコンピュータなどと接続され、撮影した画像データの転送などに用いられる。ＲＡＭ３５は、制御部（ＣＰＵ）２０の制御に必要な各種パラメータや、画像に付加するために予め用意された、文字情報を含むテンプレート、画像に付加すべく新たに入力された文字情報などを記憶する。
【００２８】
ＲＡＭ３５は、各処理プログラムや、データ通信処理や、音声通信において必要とされる各種データを記憶する。図２は、ＲＡＭ３５の構成を示す概念図である。ＲＡＭ３５は、図２に示すように、プログラム格納領域３５１と、テンプレートデータ格納領域３５２と、表示内容格納領域３５３とからなる。プログラム格納領域３５１には、制御部２０により実行されるプログラム、特に、画像に文字情報を付加するためのプログラムが記憶されている。テンプレートデータ格納領域３５２には、画像ファイルにおける格納すべき位置と該位置に格納される情報とが定義付けられたテンプレートが記憶されている。該テンプレートは、複数の分類（例えば、場所用、撮影者用など）毎に格納されている。表示内容格納領域３５３には、画像とともに画像ファイルとして記録される文字情報が記憶される。
【００２９】
図３は、本第１実施形態で用いる画像ファイル（Ｅｘｉｆ）の構成を示す概念図である。Ｅｘｉｆ規格の画像ファイルは、Ｅｘｉｆ規格のファイルであることを識別するためのヘッダ４０１、画像データに関する種々の情報を含むタグ情報４０２−１とサムネイル画像データ４０２−２とからなる画像付加情報４０２、および撮影したオリジナルの元画像データ４０３からなる。タグ情報４０２−１には、メーカ等のデータ４０２−１−１、表示領域位置情報４０２−１−２、文字情報４０２−１−３、フォントサイズ情報４０２−１−４、フォント色情報４０２−１−５などといった各種情報が記録可能となっている。
【００３０】
Ａ−２．第１実施形態の動作
次に、上述した第１実施形態の動作について説明する。ここで、図４は、本第１実施形態によるデジタルカメラ１の動作を説明するためのフローチャートである。また、図５は、表示部２５の表示内容の入力指示画面の一例を示す模式図である。また、図６（ａ）〜（ｄ）は、表示部２５に表示されるテンプレート選択画面の一例を示す模式図である。図７は、文字情報をスルー画像に重畳表示する際の模式図である。図８は、文字情報を入力する際の、スルー画像上に表示したポインタアイコンとキーボードを示す模式図である。図９は、文字情報の表示領域を移動させる際の表示例を示す模式図である。図１０は、文字情報の表示領域のサイズ変更時の表示例を示す模式図である。図１１は、文字情報の表示領域の色変更時の表示例を示す模式図である。
【００３１】
まず、デジタルカメラを撮影モードにし、スルー画像が表示されている状態とする。このスルー画像表示状態において、文字情報表示の指示が検出されたか否かを判断し（ステップＳ１０）、文字情報表示の指示が検出された場合には、図５に示す、表示内容の入力指示画面を表示する（ステップＳ１２）。文字情報入力選択画面では、図５に示すように、「１．テンプレート」か「２．新規」かが選択可能になっている。次に、予め作成されたテンプレートからの選択入力が検出されたか否かを判断する（ステップＳ１４）。
【００３２】
そして、「１．テンプレート」が選択された場合には、テンプレートデータを全て読み出し、既に入力されている文字情報をリスト表示する（ステップＳ１６）。実際には、例えば、図６（ａ）に示すように、テンプレート選択画面を表示し、その中から、「１．タイトル」、「２．場所用」、「３．撮影者用」のいずれかを選択させる。「１．タイトル」が選択された場合には、図６（ｂ）に示すようにタイトル用の文字情報（家族旅行、思いで、一人旅など）をリスト表示する。「２．場所用」が選択された場合には、図６（ｃ）に示すように撮影場所用の文字情報（江ノ島、湘南、八景島、熱海、箱根など）をリスト表示する。「３．撮影者用」が選択された場合には、図６（ｄ）に示すように撮影者用の文字情報（父、母、長男、長女など）をリスト表示する。
【００３３】
そして、いずれかの文字情報の選択が検出されたか否かを判断し（ステップＳ１８）、いずれかの文字情報が選択されると、図７に示すように、選択されたテンプレートに含まれている文字情報の表示領域２５１をスルー画像に重畳して枠表示する（ステップＳ２０）。
【００３４】
次に、記録指示が検出されたか否かを判断し（ステップＳ２２）、記録指示が検出された場合には、画像の圧縮符号化を行うとともに、先に選択されたテンプレートで指定された位置に圧縮符号化された画像を格納し、ファイル化して保存し（ステップＳ２４）、図示しないメインルーチンに戻る。
【００３５】
一方、図５に示す入力指示画面で「２．新規」が選択された場合には、新規のテンプレートデータを生成し（ステップＳ２６）、図８に示すように、スルー画像上に入力枠２５２、キーボード２５３を表示するとともに（ステップＳ２８）。次に、キーボードへの入力操作を検出することによる文字情報を作成、及び、図９（ａ）、（ｂ）に示すように、十字キーの操作を検出することにより文字情報の表示領域２５１の表示位置の確定を検出してスルー画像上に表示する（ステップＳ３０）。
【００３６】
次に、決定指示が検出されたか否かを判断し（ステップＳ３２）、決定指示が検出された場合には、生成したテンプレートデータにＥｘｉｆ情報で定義されたコメントタグの位置に入力された位置および文字情報を格納し（ステップＳ３４）、スルー画像に重畳表示する（ステップＳ３６）。例えば、表示画像の座標（ｘ，ｙ）から「江ノ島」という文字情報が入る場合には、Ｅｘｉｆ情報のコメントタグには、＜ｐｏｓｉｔｉｏｎ（ｘ，ｙ）＞「江ノ島」、というように格納される。
【００３７】
また、このとき、図１０に示すように、キー操作部２７のズームキー、またはタッチパネル２７１を用いて、文字情報の表示領域２５１のサイズを変更可能としてもよい。この場合、Ｅｘｉｆ情報のコメントタグには、＜ｄｉｓｐｌａｙ  ｓｉｚｅ（ｘ１，ｙ１）、（ｘ２，ｙ２）＞「江ノ島」、というように格納される。また、表示領域のサイズ変更に伴い、該表示領域のサイズに適当な文字サイズとなるように、文字情報のフォントサイズを自動変更するようにしてもよい。この場合、Ｅｘｉｆ情報のコメントタグには、＜ｆｏｎｔ  ｓｉｚｅ＝“ｎ”（ｎ＝文字の大きさ）＞「江ノ島」、というように格納される。
【００３８】
また、図１１に示すように、キー操作部２７の十字キー、またはタッチパネル２７１を用いて、表示部の下部に表示した色見本２５４のいずれかを選択することにより、文字情報の表示領域２５１の色を変更可能としてもよい。この場合、Ｅｘｉｆ情報のコメントタグには、＜ｄｉｓｐｌａｙ  ｃｏｌｏｒ＝“ｍ”（ｍ＝色番号）＞「江ノ島」、というように格納される。
【００３９】
次に、シャッターキーの操作を検出することによる記録指示が検出されたか否かを判断し（ステップＳ３８）、記録指示が検出された場合には、画像の圧縮符号化を行うとともに、先に選択されたテンプレートで指定された位置に圧縮符号化された画像を格納し、文字情報とともにファイル化して保存し（ステップＳ４０）、図示しないメインルーチンに戻る。
【００４０】
また、ステップＳ１０で、文字情報表示の指示が検出されなかった場合には、通常通り、スルー画像の表示を行いつつ（ステップＳ４２）、記録指示が検出されたか否かを判断し（ステップＳ４４）、記録指示が検出されると、画像の圧縮符号化を行うとともに、通常のテンプレートで指定された位置に圧縮符号化された画像を格納し、ファイル化して保存し（ステップＳ４６）、図示しないメインルーチンに戻る。
【００４１】
このように上述した第１実施形態によれば、撮影した画像に対して、予め用意されたテンプレートデータを選択するだけで、容易に文字情報を付加した画像データをＥｘｉｆファイルとして記録することができる。
【００４２】
また、付加する文字情報の文字サイズ、表示色、表示枠サイズを画像の色合いに応じて容易に変更することができるので、視認性を向上させることができる。
【００４３】
Ｂ．第２実施形態
次に、本発明の第２実施形態弐ついて説明する。なお、デジタルカメラの構成は、図１と同じであるので説明を省略する。本第２実施形態では、再生モードにおいて、画像に対応付けて文字情報を入力して保存するとともに、該画像と文字情報とを表示する際について説明する。
【００４４】
図１２は、本第２実施形態によるデジタルカメラの動作を説明するためのフローチャートである。まず、デジタルカメラを再生モードにし、選択された画像ファイルが伸張展開されて画像が表示されている状態とする。この画像表示状態において、文字情報表示の指示が検出されたか否かを判断し（ステップＳ５０）、文字情報表示の指示が検出された場合には、表示内容の入力指示画面を表示し（ステップＳ５２）、「１．テンプレート」の選択を検出したか否かを判断する（ステップＳ５４）。
【００４５】
そして、テンプレートからの入力が選択された場合には、テンプレートデータを全て読み出し、既に入力されている文字情報をリスト表示する（ステップＳ５６）。実際には、例えば、図６（ａ）に示すように、テンプレート選択画面を表示し、その中から、「１．タイトル」、「２．場所用」、「３．撮影者用」のいずれかを選択させる。「１．タイトル」が選択された場合には、図６（ｂ）に示すようにタイトル用の文字情報（家族旅行、思いで、一人旅など）をリスト表示する。「２．場所用」が選択された場合には、図６（ｃ）に示すように撮影場所用の文字情報（江ノ島、湘南、八景島、熱海、箱根など）をリスト表示する。「３．撮影者用」が選択された場合には、図６（ｄ）に示すように撮影者用の文字情報（父、母、長男、長女など）をリスト表示する。
【００４６】
そして、いずれかの文字情報の選択が検出されたか否かを判断し（ステップＳ５８）、いずれかの文字情報が選択されると、図７に示すように、選択されたテンプレートに含まれている文字情報の表示領域２５１を現在表示されている画像に重畳表示する（ステップＳ６０）。
【００４７】
次に、シャッターキーの操作を検出することによる再記録指示が検出されたか否かを判断し（ステップＳ６２）、再記録指示が検出された場合には、画像の圧縮符号化を行うとともに、先に選択されたテンプレートで指定された位置に圧縮符号化された画像を格納し、文字情報とともにファイル化して保存し（ステップＳ６４）、図示しないメインルーチンに戻る。
【００４８】
一方、ステップＳ５４において、図５に示す入力指示画面で「２．新規」が選択された場合には、新規のテンプレートデータを生成し（ステップＳ６６）、図８に示すように、スルー画像上に入力枠２５２、キーボード２５３を表示するとともに（ステップＳ６８）。次に、キーボードへの入力操作を検出することによる文字情報を作成、及び、図９（ａ）、（ｂ）に示すように、十字キーの操作を検出することにより文字情報の表示領域２５１の表示位置の確定を検出してスルー画像上に表示する（ステップＳ７０）。
【００４９】
次に、決定指示が検出されたか否かを判断し（ステップＳ７２）、決定指示が検出された場合には、生成したテンプレートデータにＥｘｉｆ情報で定義されたコメントタグの位置に入力された位置および文字情報を格納し（ステップＳ７４）、画像に重畳表示する（ステップＳ７６）。次に、シャッターキーの操作を検出することによる再記録指示が検出されたか否かを判断し（ステップＳ７８）、再記録指示が検出された場合には、画像の圧縮符号化を行うとともに、先に選択されたテンプレートで指定された位置に圧縮符号化された画像を格納し、文字情報とともにファイル化して保存し（ステップＳ８０）、図示しないメインルーチンに戻る。
【００５０】
また、ステップＳ５０で、文字情報表示の指示が検出されなかった場合には、通常通り、画像の表示を行いつつ（ステップＳ８２）、キャンセル指示が検出されたか否かを判断し（ステップＳ８４）、キャンセル指示が検出されると、当該処理を終了し、図示しないメインルーチンに戻る。
【００５１】
上述した第２実施形態によれば、既に撮影した画像に対して、予め用意されたテンプレートデータを選択するだけで、容易に画像データに文字情報を付加して記録することができる。
【００５２】
尚、上記実施形態においては、本発明を撮像装置に適用させた場合について述べたが画像を取得し、記録できる装置、機器であればこれに限定されることは無く、撮像機能を備えた携帯電話等の通信機器、ＰＤＡ（情報端末）等の電子機器であっても良い。
【図面の簡単な説明】
【００５３】
【図１】本発明の第１実施形態によるデジタルカメラの構成を示すブロック図である。
【図２】ＲＡＭ３５の構成を示す概念図である。
【図３】本第１実施形態で用いる画像ファイル（Ｅｘｉｆ）の構成を示す概念図である。
【図４】本第１実施形態によるデジタルカメラ１の動作を説明するためのフローチャートである。
【図５】表示内容の入力指示画面の一例を示す模式図である。
【図６】テンプレート選択画面の一例を示す模式図である。
【図７】文字情報をスルー画像に重畳表示する際の模式図である。
【図８】文字情報を入力する際の、スルー画像上に表示したポインタアイコンとキーボードを示す模式図である。
【図９】文字情報の表示領域を移動させる際の表示例を示す模式図である。
【図１０】文字情報の表示領域のサイズ変更時の表示例を示す模式図である。
【図１１】文字情報の表示領域の色変更時の表示例を示す模式図である。
【図１２】本発明の第２実施形態によるデジタルカメラの動作を説明するためのフローチャートである。
【符号の説明】
【００５４】
１０  画像取得部
１１  レンズ
１２  シャッタ
１３  ＬＰＦ
１４  ドライバ
１５  アナログ信号処理部
１６  撮像センサ
１７  サンプリング／信号増幅処理部
１８  Ａ／Ｄコンバータ
２０  制御部（ＣＰＵ）
２２  プレビューエンジン
２３  Ｄ／Ａコンバータ
２４  ドライバ
２５  表示部
２６  イメージバッファ
２７  キー操作部
２７１  タッチパネル
２８  デジタル信号処理部
２９  画像圧縮／伸張処理部
３０  プログラムメモリ
３１  画像メモリ
３２  カードＩ／Ｆ
３３  外部記録媒体
３４  外部接続用Ｉ／Ｆ
３５  ＲＡＭ
【図１】
2009021733.tif 000003
【図２】
2009021733.tif 000004
【図３】
2009021733.tif 000005
【図４】
2009021733.tif 000006
【図５】
2009021733.tif 000007
【図６】
2009021733.tif 000008
【図７】
2009021733.tif 000009
【図８】
2009021733.tif 000010
【図９】
2009021733.tif 000011
【図１０】
2009021733.tif 000012
【図１１】
2009021733.tif 000013
【図１２】
2009021733.tif 000014